(57)【要約】【課題】処理装置に処理を実行させる旨の利用者の指示を代行装置に送信して、その処理をその処理装置に代わって実行させる。【解決手段】受付部１１３は、操作画面を表示部に表示させ、処理を実行させる旨の利用者の指示を受付ける。交換部１１４は、代行装置４の通信回線２における識別情報を受取る。第１送信部１１５は、受付部１１３が受付けた指示とともに、交換部１１４が受取った識別情報を処理装置３に送信する。取得部３１２は、指示と識別情報とを取得する。第２送信部３１３は、識別情報を取得している場合に、指示をこの識別情報を用いて代行装置４に送信する。代行部４１２は、処理装置３から送信された指示に応じて、その指示に示される処理のうち代行装置４において実行可能な一部の処理を代行する。実行部３１４は、代行装置４から代行の完了が通知されると、指示に示される処理のうち、代行装置４で代行されなかった残りの処理を実行する。【選択図】図５
2017220858.tif 000002
【特許請求の範囲】
【請求項１】
処理を実行させる旨の指示を受付ける受付手段と、
前記指示を処理装置に送信する第１送信手段と、
送信された前記指示が示す前記処理の少なくとも一部を代行する代行装置を識別するための識別情報を取得する取得手段と、
前記識別情報を取得している場合に、該識別情報を用いて前記受付手段が受付けた前記指示を前記代行装置に送信する第２送信手段と、
を有することを特徴とする処理システム。
【請求項２】
前記受付手段および前記第１送信手段を備える端末と、
前記取得手段および前記第２送信手段を備える前記処理装置と、
を有することを特徴とする請求項１に記載の処理システム。
【請求項３】
前記受付手段は、複数の工程を含む前記処理を実行させる旨の前記指示を受付け、
前記第２送信手段は、前記識別情報を取得している場合に、該識別情報を用いて前記指示を前記代行装置に送信して、該指示が示す前記処理の複数の前記工程のいずれかを実行させる
ことを特徴とする請求項１または２に記載の処理システム。
【請求項４】
前記代行装置は、複数の装置を含み、
取得した前記識別情報によって識別される前記代行装置が、前記処理を実行できないと判断された第１装置である場合に、
前記取得手段は、前記第１装置と異なる第２装置を識別するための識別情報を改めて取得し、
前記第２送信手段は、前記取得手段が改めて取得した前記識別情報を用いて前記指示を前記第２装置に送信する
ことを特徴とする請求項１から３のいずれか１項に記載の処理システム。
【請求項５】
前記第２送信手段が、前記指示を前記第２装置に送信した後で、前記第１装置が前記処理を実行できると判断された場合に、該第１装置が該処理を実行できる旨を通知する通知手段
を有することを特徴とする請求項４に記載の処理システム。
【請求項６】
表示された処理装置の操作画面に基づいて前記処理装置に処理を実行させる旨の指示を受付ける受付手段と、
前記指示が示す前記処理を代行する代行装置を識別するための識別情報を取得する取得手段と、
前記識別情報を取得している場合に、該識別情報を用いて前記受付手段が受付けた前記指示を前記代行装置に対する指示とする制御を行う制御手段と、
を有することを特徴とする情報処理装置。
【請求項７】
前記制御手段は、前記受付手段が受付けた前記指示を前記代行装置に送信する制御を行う
ことを特徴とする請求項６に記載の情報処理装置。
【請求項８】
前記制御手段は、前記受付手段が受付けた前記指示および前記識別情報を前記処理装置に送信する制御を行う
ことを特徴とする請求項６に記載の情報処理装置。
【請求項９】
端末で受付けられた、処理を実行させる旨の指示を取得するとともに、該指示が示す前記処理の少なくとも一部を代行する代行装置を識別するための識別情報を取得する取得手段と、
前記識別情報を取得している場合に、該識別情報を用いて前記指示を前記代行装置に送信する第２送信手段と、
を有することを特徴とする処理装置。
【請求項１０】
コンピュータを、
表示された処理装置の操作画面に基づいて前記処理装置に処理を実行させる旨の指示を受付ける受付手段と、
前記指示が示す前記処理を代行する代行装置を識別するための識別情報を取得する取得手段と、
前記識別情報を取得している場合に、該識別情報を用いて前記受付手段が受付けた前記指示を前記代行装置に対する指示とする制御を行う制御手段
として機能させるためのプログラム。
【請求項１１】
コンピュータを、
端末で受付けられた、処理を実行させる旨の利用者の指示を取得するとともに、該指示が示す前記処理の少なくとも一部を代行する代行装置を識別するための識別情報を取得する取得手段と、
前記識別情報を取得している場合に、該識別情報を用いて前記指示を前記代行装置に送信する第２送信手段
として機能させるためのプログラム。
【発明の詳細な説明】
【技術分野】
【０００１】
本発明は、処理システム、情報処理装置、処理装置およびプログラムに関する。
【背景技術】
【０００２】
特許文献１には、第一画像形成装置に対し機器設定を行う際、第一画像形成装置からのリモート表示を受けつつ、第一画像形成装置に対し行った機器設定に関する操作設定情報を内部に逐次記憶し、第一画像形成装置に機器設定を行っている最中に、第一画像形成装置に相対的に高い優先度が初期的に割り当てられている第二端末装置からの接続があった場合には、第一画像形成装置との接続を切断した後、第二画像形成装置と接続して内部に記憶した操作設定情報を第二画像形成装置に送信する第一端末装置と、第一端末装置から送信されてきた操作設定情報に基づき、第一端末装置が第一画像形成装置上で行った機器設定を引き継いで、第一端末装置に対するリモート表示を行う第二画像形成装置と、を有し、第一端末装置は、第二画像形成装置からリモート表示を受けつつ、第一画像形成装置に対する機器設定を継続する、画像形成システムが開示されている。
【先行技術文献】
【特許文献】
【０００３】
【特許文献１】特開２０１５−１４８８８１号公報
【発明の概要】
【発明が解決しようとする課題】
【０００４】
本発明は、処理装置に処理を実行させる旨の利用者の指示を代行装置に送信して、その処理をその処理装置に代わって実行させることを目的とする。
【課題を解決するための手段】
【０００５】
上述した課題を解決するため、本発明の請求項１に係る処理システムは、処理を実行させる旨の指示を受付ける受付手段と、前記指示を処理装置に送信する第１送信手段と、送信された前記指示が示す前記処理の少なくとも一部を代行する代行装置を識別するための識別情報を取得する取得手段と、前記識別情報を取得している場合に、該識別情報を用いて前記受付手段が受付けた前記指示を前記代行装置に送信する第２送信手段と、を有することを特徴とする。
【０００６】
本発明の請求項２に係る処理システムは、請求項１に記載の態様において、前記受付手段および前記第１送信手段を備える端末と、前記取得手段および前記第２送信手段を備える前記処理装置と、を有することを特徴とする。
【０００７】
本発明の請求項３に係る処理システムは、請求項１または２に記載の態様において、前記受付手段は、複数の工程を含む前記処理を実行させる旨の前記指示を受付け、前記第２送信手段は、前記識別情報を取得している場合に、該識別情報を用いて前記指示を前記代行装置に送信して、該指示が示す前記処理の複数の前記工程のいずれかを実行させることを特徴とする。
【０００８】
本発明の請求項４に係る処理システムは、請求項１から３のいずれか１項に記載の態様において、前記代行装置は、複数の装置を含み、取得した前記識別情報によって識別される前記代行装置が、前記処理を実行できないと判断された第１装置である場合に、前記取得手段は、前記第１装置と異なる第２装置を識別するための識別情報を改めて取得し、前記第２送信手段は、前記取得手段が改めて取得した前記識別情報を用いて前記指示を前記第２装置に送信することを特徴とする。
【０００９】
本発明の請求項５に係る処理システムは、請求項４に記載の態様において、前記第２送信手段が、前記指示を前記第２装置に送信した後で、前記第１装置が前記処理を実行できると判断された場合に、該第１装置が該処理を実行できる旨を通知する通知手段を有することを特徴とする。
【００１０】
本発明の請求項６に係る端末は、表示された処理装置の操作画面に基づいて前記処理装置に処理を実行させる旨の指示を受付ける受付手段と、前記指示が示す前記処理を代行する代行装置を識別するための識別情報を取得する取得手段と、前記識別情報を取得している場合に、該識別情報を用いて前記受付手段が受付けた前記指示を前記代行装置に対する指示とする制御を行う制御手段と、を有することを特徴とする。
【００１１】
本発明の請求項７に係る端末は、請求項６に記載の態様において、前記制御手段は、前記受付手段が受付けた前記指示を前記代行装置に送信する制御を行うことを特徴とする。
【００１２】
本発明の請求項８に係る端末は、請求項６に記載の態様において、前記制御手段は、前記受付手段が受付けた前記指示および前記識別情報を前記処理装置に送信する制御を行うことを特徴とする。
【００１３】
本発明の請求項９に係る処理装置は、端末で受付けられた、処理を実行させる旨の指示を取得するとともに、該指示が示す前記処理の少なくとも一部を代行する代行装置を識別するための識別情報を取得する取得手段と、前記識別情報を取得している場合に、該識別情報を用いて前記指示を前記代行装置に送信する第２送信手段と、を有することを特徴とする。
【００１４】
本発明の請求項１０に係るプログラムは、コンピュータを、表示された処理装置の操作画面に基づいて前記処理装置に処理を実行させる旨の指示を受付ける受付手段と、前記指示が示す前記処理を代行する代行装置を識別するための識別情報を取得する取得手段と、前記識別情報を取得している場合に、該識別情報を用いて前記受付手段が受付けた前記指示を前記代行装置に対する指示とする制御を行う制御手段として機能させるためのプログラムである。
【００１５】
本発明の請求項１１に係るプログラムは、コンピュータを、端末で受付けられた、処理を実行させる旨の利用者の指示を取得するとともに、該指示が示す前記処理の少なくとも一部を代行する代行装置を識別するための識別情報を取得する取得手段と、前記識別情報を取得している場合に、該識別情報を用いて前記指示を前記代行装置に送信する第２送信手段として機能させるためのプログラムである。
【発明の効果】
【００１６】
請求項１、６〜１１に係る発明によれば、処理装置に処理を実行させる旨の利用者の指示を代行装置に送信して、その処理をその処理装置に代わって実行させることができる。
請求項２に係る発明によれば、端末から代行装置に対して指示を送信する必要がない。
請求項３に係る発明によれば、処理装置において複数の工程のうちいずれかの工程が実行できない場合などに、その工程を代行装置に実行させることができる。
請求項４に係る発明によれば、既に取得している識別情報によって識別される代行装置により処理が実行できない場合であっても、その処理を進めることができる。
請求項５に係る発明によれば、一度処理を実行できないと判断された代行装置が処理を実行できる状態になったことを利用者に気づかせることができる。
【図面の簡単な説明】
【００１７】
【図１】本実施形態に係る処理システム９の全体構成を示す図。
【図２】端末１の構成の一例を示す図。
【図３】処理装置３の構成の一例を示す図。
【図４】代行装置４の構成の一例を示す図。
【図５】処理システム９の機能的構成の一例を示す図。
【図６】処理システム９の動作の一例を示すシーケンス図。
【発明を実施するための形態】
【００１８】
１．実施形態
１−１．処理システムの全体構成
図１は、本実施形態に係る処理システム９の全体構成を示す図である。処理システム９は、ＬＡＮ（Local Area Network）を形成する通信回線２と、この通信回線２によって互いに接続された処理装置３と代行装置４とを有する。
【００１９】
処理装置３および代行装置４は複数であってもよい。例えば図１において代行装置４は、コピー機である代行装置４Ａと、プリンターである代行装置４Ｂと、スキャナである代行装置４Ｃとを含む。処理装置３および代行装置４は利用可能な機能の数や種類が異なっていてもよいが、いずれかの代行装置４は処理装置３に実行させる処理の少なくとも一部を実行可能である。
【００２０】
なお、図１において処理装置３は、公衆電話回線６にも接続しており、公衆電話回線６を用いて画像データを他の装置に送るファクシミリの機能も有する。
【００２１】
また、処理システム９は、処理装置３に処理を実行させる旨の利用者の指示を受付ける端末１を有する。端末１は、通信回線２に接続された無線アクセスポイント５を介して処理装置３および代行装置４と接続するように構成されている。無線アクセスポイント５は、いわゆる無線ＬＡＮの規格、例えばＩＥＥＥ８０２．１１に準拠した方式により、端末１と通信回線２とを接続する機能を提供する。
【００２２】
また、代行装置４のうちのいずれかは、近距離無線通信（Near Field Communication、ＮＦＣ）の規格、例えばＩＳＯ／ＩＥＣ１８０９２（ＮＦＣＩＰ−１）、ＩＳＯ／ＩＥＣ１４４４３、ＩＳＯ／ＩＥＣ１５６９３、またはＩＥＥＥ８０２．１５に準拠した方式で端末１と接続する機能を有していてもよい。図１に示す例において代行装置４Ａは近距離無線通信の規格に準拠した方式で端末１と接続し、例えば通信回線２において自装置を識別するための識別情報などを遣り取りする。
【００２３】
１−２．端末の構成
図２は、端末１の構成の一例を示す図である。端末１は、処理装置３に処理を実行させる旨の指示を受付ける受付装置の一例であり、受付けた指示が示す処理をいずれかの装置に行わせるように情報を処理する情報処理装置の一例である。端末１は、制御部１１と、記憶部１２と、操作部１３と、表示部１４と、通信部１５とを有する。
【００２４】
制御部１１は、ＣＰＵ（Central Processing Unit）、ＲＯＭ（Read Only Memory）、ＲＡＭ（Random Access Memory）を有し、ＣＰＵがＲＯＭや記憶部１２に記憶されているコンピュータプログラム（以下、単にプログラムという）を読み出して実行することにより端末１の各部を制御する。
【００２５】
操作部１３は、各種の指示を入力するための操作ボタンやタッチパネルなどの操作子を備えており、利用者による操作を受付けてその操作内容に応じた信号を制御部１１に供給する。
【００２６】
表示部１４は、液晶ディスプレイを有しており、制御部１１が指示した各種の情報などを表示する。表示部１４の液晶ディスプレイの上には、操作部１３のタッチパネルが重ねて配置されてもよい。この場合、タッチパネルは、表示部１４の液晶ディスプレイで表示された画像が利用者から見えるように透明な素材で構成される。
【００２７】
記憶部１２は、ソリッドステートドライブ等の大容量の記憶手段であり、制御部１１のＣＰＵに読み込まれるプログラムを記憶する。また、記憶部１２は、図２に示す通りＵＩ情報１２１、および識別情報１２２を記憶する。
【００２８】
前述のプログラムは、一例として基本プログラムであるオペレーティングシステム（ＯＳ）と応用プログラムであるアプリケーションプログラム（アプリ）とに分かれていても良い、この場合、端末１の制御部１１と、記憶部１２と、操作部１３と、表示部１４と、通信部１５の動作を直接的に制御するのは基本プログラムであるＯＳであり、応用プログラムであるアプリはＯＳの管理の下で実行され、ＯＳを介して端末１の各部の動作を実行させてもよい。
【００２９】
ＵＩ情報１２１は、例えば通信回線２および無線アクセスポイント５を介して処理装置３から送られてくる操作画面の情報であって、処理装置３に指示をするためのユーザインタフェース（User Interface、ＵＩ）を示す情報である。端末１は、記憶部１２に記憶されたＵＩ情報１２１を用いて処理装置３の操作画面を表示部１４に表示し、処理装置３に処理を実行させる旨の利用者の指示を操作部１３によって受付ける。
【００３０】
識別情報１２２は、例えばいずれかの代行装置４から近距離無線通信により送られてくる情報であって、通信回線２で形成されるＬＡＮにおいてその代行装置４を識別するための情報である。端末１は、識別情報１２２を用いて上述した代行装置４を識別する。
【００３１】
通信部１５は、ＬＡＮ通信部１５１と、近距離通信部１５２とを有する。ＬＡＮ通信部１５１は、無線アクセスポイント５を介して通信回線２に接続する通信回路である。近距離通信部１５２は、近距離無線通信の規格に準拠した方式でいずれかの代行装置４と接続する通信回路である。
【００３２】
１−３．処理装置の構成
図３は、処理装置３の構成の一例を示す図である。制御部３１は、ＣＰＵ、ＲＯＭ、ＲＡＭを有し、ＣＰＵがＲＯＭや記憶部３２に記憶されているプログラムを読み出して実行することにより処理装置３の各部を制御する。
【００３３】
記憶部３２は、ハードディスクドライブ等の大容量の記憶手段であり、制御部３１のＣＰＵに読み込まれるプログラムを記憶する。また、記憶部３２は、ＵＩ情報３２１、および識別情報３２２を記憶する。ＵＩ情報３２１は、端末１に送信して表示させる操作画面のオリジナルの情報であり、端末１において処理装置３に指示をするためのユーザインタフェースを示す情報である。識別情報３２２は、端末１が代行装置４と交換した識別情報により識別される、その代行装置４の情報である。
【００３４】
通信部３５は、ＬＡＮ通信部３５１と、近距離通信部３５２と、画像通信部３５３とを有する。ＬＡＮ通信部３５１は、有線または無線により通信回線２に接続する通信回路である。近距離通信部３５２は、近距離無線通信の規格に準拠した方式で端末１と接続する通信回路である。画像通信部３５３は、公衆電話回線６を介して他の装置と接続し、画像データを送受信するための通信回路である。なお、処理装置３には近距離通信部３５２がなくてもよい。
【００３５】
画像読取部３３は、原稿を光学的に読取る手段である。画像読取部３３は、ＣＣＤ（Charge Coupled Device）イメージセンサなどの撮像素子を備え、原稿を表す画像データを生成する。画像読取部３３は、撮像素子を移動させながら原稿を読取るフラットベッド型、撮像素子の位置を変えずに原稿を移動させて読取るシートフィード型のいずれであってもよいし、他のタイプであってもよい。
【００３６】
画像形成部３４は、画像データに基づいて画像を形成する手段である。画像形成部３４は、例えば、電子写真方式や熱転写方式によって画像を用紙に形成する。
【００３７】
１−４．代行装置の構成
図４は、代行装置４の構成の一例を示す図である。制御部４１は、ＣＰＵ、ＲＯＭ、ＲＡＭを有し、ＣＰＵがＲＯＭや記憶部４２に記憶されているプログラムを読み出して実行することにより代行装置４の各部を制御する。
【００３８】
記憶部４２は、ハードディスクドライブ等の大容量の記憶手段であり、制御部４１のＣＰＵに読み込まれるプログラムを記憶する。また、記憶部４２は、識別情報４２２を記憶する。識別情報４２２は、通信回線２で形成されるＬＡＮにおいて自装置（代行装置４）を識別するための情報であり、近距離無線通信によって端末１に伝えられる情報である。識別情報４２２は、例えばＩＰ（Internet Protocol）アドレスなどである。
【００３９】
通信部４５は、ＬＡＮ通信部４５１と、近距離通信部４５２と、画像通信部４５３とを有する。ＬＡＮ通信部４５１は、有線または無線により通信回線２に接続する通信回路である。近距離通信部４５２は、近距離無線通信の規格に準拠した方式で端末１と接続する通信回路である。画像通信部４５３は、公衆電話回線６を介して他の装置と接続し、画像データを送受信するための通信回路である。なお、代行装置４には近距離通信部４５２がなくてもよい。
【００４０】
画像読取部４３は、原稿を光学的に読取る手段である。画像読取部４３は、ＣＣＤイメージセンサなどの撮像素子を備え、原稿を表す画像データを生成する。画像読取部４３は、撮像素子を移動させながら原稿を読取るフラットベッド型、撮像素子の位置を変えずに原稿を移動させて読取るシートフィード型のいずれであってもよいし、他のタイプであってもよい。
【００４１】
画像形成部４４は、画像データに基づいて画像を形成する手段である。画像形成部４４は、例えば、電子写真方式や熱転写方式によって画像を用紙に形成する。
【００４２】
なお、代行装置４は、画像読取部４３、画像形成部４４、および画像通信部４５３を用いて利用者の指示が示す処理の少なくとも一部を処理装置３に代わって実行、すなわち代行するが、他の構成を備えていてもよく、また、これらのうち、いずれかを有していなくてもよい。
【００４３】
例えば、図４に示す代行装置４は、上述した代行装置４Ａであり、画像読取部４３を有しているが、図４に破線で示す画像形成部４４、および画像通信部４５３を有しない。したがって、代行装置４Ａは、原稿を光学的に読取ってその原稿を表す画像データを生成する機能を有するが、その画像データに基づいて電子写真方式などにより、用紙に画像を形成する機能を有しない。また、代行装置４Ａは、生成した画像データを、公衆電話回線６を介して他の装置に送信する機能を有しない。
【００４４】
１−５．処理システムの機能的構成
図５は、処理システム９の機能的構成の一例を示す図である。端末１は、制御部１１により要求部１１１、受取部１１２、受付部１１３、交換部１１４、および第１送信部１１５として機能する。
【００４５】
また、処理装置３は、制御部３１により、応答部３１１、取得部３１２、第２送信部３１３、および実行部３１４として機能する。
【００４６】
また、代行装置４は、制御部４１により、交換部４１１、および代行部４１２として機能する。
【００４７】
なお、図５に示す例において処理システム９は、受付部１１３（受付手段）および第１送信部１１５（第１送信手段）を備える端末１と、取得部３１２（取得手段）および第２送信部３１３（第２送信手段）を備える処理装置３と、を有するシステムである。
【００４８】
要求部１１１は、処理装置３に対して操作画面を示すＵＩ情報３２１を要求する。応答部３１１は、記憶部３２からＵＩ情報３２１を読み出すと、このＵＩ情報３２１を符号化して要求をした端末１に送信する。受取部１１２は、符号化されたＵＩ情報３２１を受取ると、その複製であるＵＩ情報１２１を生成し、記憶部１２（図２）に記憶する。
【００４９】
受付部１１３は、記憶部１２に記憶されたＵＩ情報１２１に基づいて操作画面を生成し表示部１４（図２）に表示させ、操作部１３（図２）から、いずれかの処理を実行させる旨の利用者の指示を受付ける。
【００５０】
端末１の交換部１１４と代行装置４の交換部４１１とは、互いに近距離無線通信を確立する。そして、交換部１１４は、その代行装置４の通信回線２における識別情報４２２を受取る。交換部１１４は、記憶部１２（図２）に識別情報４２２の複製である識別情報１２２記憶する。
【００５１】
なお、交換部１１４は、通信回線２において端末１を識別する識別情報（図示せず）を代行装置４に送ってもよい。すなわち、交換部１１４と交換部４１１とは、各々の識別情報を交換してもよい。
【００５２】
第１送信部１１５は、受付部１１３が受付けた指示を処理装置３に送信する。ここでは、第１送信部１１５は、交換部１１４が受取って記憶部１２に記憶した識別情報１２２を上述した指示とともに処理装置３に送信する。なお、第１送信部１１５が識別情報１２２を処理装置３に送信する時点において、端末１と代行装置４とは、近距離無線通信を確立してなくてもよい。
【００５３】
処理装置３の取得部３１２は、端末１で受付けられた、処理を実行させる旨の利用者の指示を取得する。また、取得部３１２は、取得したこの指示とともに、この指示が示す処理の少なくとも一部を処理装置３に代わって実行する代行装置４を識別するための識別情報３２２を取得する。具体的に取得部３１２は、指示とともに端末１から送信された識別情報１２２の複製である識別情報３２２を生成し、記憶部３２に記憶する。
【００５４】
第２送信部３１３は、識別情報３２２を取得している場合に、受付部１１３が受付けた指示をこの識別情報３２２を用いて代行装置４に送信する。
【００５５】
代行部４１２は、処理装置３から送信された指示に応じて、その指示に示される処理のうち代行装置４において実行可能な一部の処理を代行する。そして、代行部４１２は、代行が完了するとその旨を処理装置３に通知する。
【００５６】
例えば、代行部４１２は、画像読取部４３（図４）を制御して、処理装置３から送信された指示に基づき原稿の画像を読取ってその原稿を表す画像データを生成する。そして、代行部４１２は、生成した画像データを処理装置３に送信することで画像の読取りの代行が完了したことを通知する。
【００５７】
処理装置３の実行部３１４は、代行装置４から代行の完了が通知されると、上述した指示に示される処理のうち、代行装置４で代行されなかった残りの処理を実行する。実行部３１４は、例えば、上述した通知に伴って画像データを受信するとその画像データに基づいて公衆電話回線６を介し、他の装置に画像データを送信する。
【００５８】
１−６．処理システムの動作
図６は、処理システム９の動作の一例を示すシーケンス図である。端末１は、処理装置３に操作画面を示すＵＩ情報３２１を要求し（ステップＳ１０１）、処理装置３はこれに応答する（ステップＳ１０２）。また、端末１はいずれかの代行装置４と識別情報を交換する（ステップＳ１０３）。この例において、端末１は代行装置４Ａと識別情報を交換する。
【００５９】
端末１は、処理装置３から取得したＵＩ情報３２１の複製であるＵＩ情報１２１に基づいて、操作画面を表示部１４に表示する（ステップＳ１０４）。端末１は、操作画面に対して利用者が操作部１３を操作して示す指示を受付ける（ステップＳ１０５）。
【００６０】
この指示には、例えばファクシミリの送信のように、第１工程：原稿の画像を読取って画像データを生成する工程、第２工程：生成した画像データを公衆電話回線６により他の装置へ送信する工程、といった複数の工程を含むものもある。
【００６１】
また、この指示には、端末１の利用者が上述した処理のために特に設定した設定値なども含まれる。設定値とは、具体的には、例えば、読取りの解像度や階調、カラーとモノクロとの別、原稿の大きさや読取り範囲、送信先の電話番号などである。また、この指示には、ステップＳ１０３で代行装置４から得た識別情報４２２の複製、識別情報１２２が含まれている。
【００６２】
端末１は指示を受付けるとその指示を処理装置３に送信し、その指示に示される処理の実行を処理装置３に要求する（ステップＳ１０６）。ここで、処理装置３は、代行装置４の識別情報４２２に応じた識別情報１２２を指示から抽出し、これによって識別されるこの代行装置４に対して、処理の一部を代行することを要求する（ステップＳ１０７）。処理装置３は、具体的には、上述した第１工程の代行を代行装置４Ａに要求する。
【００６３】
代行装置４は、要求された第１工程の代行をし（ステップＳ１０８）、これが完了するとその旨を処理装置３に通知する（ステップＳ１０９）。この通知には第１工程で生成した画像データが含まれている。処理装置３は、この通知を受取ると、上述した第２工程を実行する（ステップＳ１１０）。
【００６４】
例えば、処理装置３は、指示に含まれていた電話番号を用いて、公衆電話回線６を介して他の装置への通信経路を確立し、代行装置４Ａにおいて生成された画像データをこの他の装置に送信する。これにより他の装置へのファクシミリが完了する。
【００６５】
以上、説明した動作により、処理システム９は、処理装置３に処理を実行させる旨の利用者の指示を代行装置４に送信して、その処理をその処理装置３に代わって実行させる。これにより、利用者は、処理装置３に対しての指示をした場合、代行装置４に対しての指示を改めてする必要がない。
【００６６】
２．変形例
以上が実施形態の説明であるが、この実施形態の内容は以下のように変形し得る。また、以下の変形例を組み合わせてもよい。
【００６７】
２−１．変形例１
上述した実施形態において処理システム９は、受付手段および第１送信手段を端末１が備え、取得手段および第２送信手段を処理装置３が備えるシステムであったが、これらの手段を備える構成は、この組み合わせに限られない。例えば、端末１が受付手段および第１送信手段に加えて取得手段および第２送信手段を備えていてもよい。
【００６８】
この場合、例えば処理装置３が取得した指示に関して決められた条件を満たすか否かを判断し、この条件を満たしたと判断したときに、その旨を端末１に対して通知してもよい。端末１は、処理装置３からこの通知を受けたときに、上記の指示が示す処理の少なくとも一部を処理装置３に代わって実行する代行装置４を識別するための識別情報を取得する。そして、端末１は、取得した識別情報を用いて代行装置４に上述した指示を送信すればよい。
【００６９】
なお、決められた条件とは、例えば、処理装置３において、決められた時間内に利用者の指示に示された処理を開始することが不能である、といったものである。
【００７０】
また、端末１は、受付手段および第１送信手段に加えて取得手段および制御手段を備えていてもよい。すなわち、端末１は、上記の指示が示す処理の少なくとも一部を処理装置３に代わって実行する代行装置４を識別するための識別情報を取得している場合に、その識別情報を用いて上記の指示を代行装置４に対する指示とする制御を行ってもよい。この制御とは、例えば、上記の指示および識別情報を処理装置３に送信するものであってもよい。この場合、これらを受信した処理装置３が代行装置４を識別してその代行装置４へその指示を転送すればよい。
【００７１】
また、上述した制御とは、代行装置４に端末１自身のＩＰアドレスなどの識別情報を通知して、代行装置４からのアクセスを受付け、上記の指示の内容をダウンロードさせる、といったものであってもよいし、例えば通信回線２に接続されたサーバ装置に上記の指示の内容を記憶させて、このサーバ装置のアクセス先を代行装置４に通知し、代行装置４にダウンロードさせる、といったものであってもよい。
【００７２】
２−２．変形例２
上述した実施形態において、端末１が受付けた利用者の指示が示す処理は、第１工程および第２工程（複数の工程）を含むものであったが、単一の工程を含むものであってもよい。この場合、代行装置４は、処理装置３に代わってその処理に含まれる単一の工程を実行すればよい。
【００７３】
２−３．変形例３
また、利用者の指示が示す処理に複数の工程が含まれている場合であっても、代行装置４は、その全ての工程を処理装置３に代わって実行してもよい。
【００７４】
２−４．変形例４
上述した実施形態において、指示が示す処理に含まれる第１工程を、その指示とともに処理装置３が取得した識別情報で識別される代行装置４Ａに実行させたが、他の代行装置４に実行させてもよい。例えば、処理装置３や代行装置４Ａなどにより、代行装置４Ａが上述した処理の少なくとも一部を処理装置３に代わって実行できないと判断された場合に、処理装置３は、代行装置４Ａ（第１装置）と異なる代行装置４（第２装置）を識別するための識別情報を改めて取得してもよい。この場合、例えば第２送信部３１３などの第２送信手段は、改めて取得した識別情報を用いて指示を上述した代行装置４（第２装置）に送信すればよい。
【００７５】
具体的に、例えば、端末１が識別情報を交換したコピー機である代行装置４Ａが、他の利用者により画像読取部４３を占有されている場合、決められた期間内に、上述の指示をした利用者の原稿を読取る第１工程を実行することができない。この場合、代行装置４Ａの利用状況の情報を処理装置３が取得して代行装置４Ａが第１工程を実行できるか否か判断する。そして、処理装置３は、代行装置４Ａが第１工程を実行できないと判断すると、端末１に代行装置４Ａと異なる代行装置４の識別情報を要求する。
【００７６】
端末１は、この要求を受取ると、代行装置４Ａ以外の代行装置４と識別情報の交換を試みる。そして、例えばスキャナである代行装置４Ｃと互いの識別情報を交換すると代行装置４Ｃを識別するための識別情報を処理装置３に送信する。
【００７７】
処理装置３は、端末１から代行装置４Ｃを識別するための識別情報を改めて取得すると、この識別情報を用いて上述の指示を代行装置４Ｃに送信する。これにより、第１工程は、処理装置３に代わって代行装置４Ｃによって実行され、代行装置４Ｃにおいて生成された画像データは処理装置３に送られ、公衆電話回線６を介して他の装置へ送信される。これにより他の装置へのファクシミリが完了する。
【００７８】
２−５．変形例５
変形例４において利用者の指示は、改めて取得した識別情報を用いて代行装置４Ｃに送信され、この指示により示される処理のうち、第１工程は代行装置４Ｃによって代行されたが、利用者の指示が代行装置４Ｃに送信された後に、取得部３１２などの取得手段が最初に取得した識別情報で識別される代行装置４Ａにおいて第１工程を実行できると判断された場合に、代行装置４Ａが第１工程を代行してもよい。
【００７９】
この場合、例えば処理装置３は、端末１に対して、代行装置４Ａが第１工程を実行できる状態になったことを通知してもよい。この場合、処理装置３の制御部３１は、第２送信部３１３（第２送信手段）が、利用者の指示を代行装置４Ｃ（第２装置）に送信した後で、代行装置４Ａ（第１装置）が処理を実行できると判断された場合に、この代行装置４Ａがこの処理を実行できる旨を利用者に通知する通知部３１５（通知手段）として機能する。そして、この通知を受けた端末１は、表示部１４によりこの通知の内容を利用者に表示すればよい。
【００８０】
２−６．変形例６
端末１の制御部１１によって実行されるプログラムは、磁気テープや磁気ディスクなどの磁気記録媒体、光ディスクなどの光記録媒体、光磁気記録媒体、半導体メモリなどの、コンピュータ装置が読取り可能な記録媒体に記憶された状態で提供し得る。また、このプログラムを、インターネットなどの通信回線経由でダウンロードさせることも可能である。なお、上記の制御部１１によって例示した制御手段としてはＣＰＵ以外にも種々の装置が適用される場合があり、例えば、専用のプロセッサなどが用いられる。
【００８１】
２−７．変形例７
上記の機能を実行するプログラムは、基本プログラムであるＯＳにより実現しても良いし、ＯＳおよび応用プログラムのアプリとの組み合わせで実現しても良い。
【００８２】
２−８．変形例８
上述した実施形態において、端末１は処理装置３に処理を実行させる旨の、利用者の指示を受付けていたが、この指示は利用者によってなされたものに限られない。例えば、デフォルト設定など、利用者が明示的に指示したものがない場合に、利用者によって指示されたものと見なされる指示であってもよい。
【符号の説明】
【００８３】
１…端末、１１…制御部、１１１…要求部、１１２…受取部、１１３…受付部、１１４…交換部、１１５…第１送信部、１２…記憶部、１２１…ＵＩ情報、１２２…識別情報、１３…操作部、１４…表示部、１５…通信部、１５１…ＬＡＮ通信部、１５２…近距離通信部、２…通信回線、３…処理装置、３１…制御部、３１１…応答部、３１２…取得部、３１３…第２送信部、３１４…実行部、３２…記憶部、３２１…ＵＩ情報、３２２…識別情報、３３…画像読取部、３４…画像形成部、３５…通信部、３５１…ＬＡＮ通信部、３５２…近距離通信部、３５３…画像通信部、４…代行装置、４Ａ…代行装置（コピー機）、４Ｂ…代行装置（プリンター）、４Ｃ…代行装置（スキャナ）、４１…制御部、４１１…交換部、４１２…代行部、４２…記憶部、４２２…識別情報、４３…画像読取部、４４…画像形成部、４５…通信部、４５１…ＬＡＮ通信部、４５２…近距離通信部、４５３…画像通信部、５…無線アクセスポイント、６…公衆電話回線、９…処理システム。
【図１】
2017220858.tif 000003
【図２】
2017220858.tif 000004
【図３】
2017220858.tif 000005
【図４】
2017220858.tif 000006
【図５】
2017220858.tif 000007
【図６】
2017220858.tif 000008